(57)【要約】【課題】装飾部材に到来した遊技球の多様な動きを許容して、遊技球の入賞装置への入賞に対する期待感を高め、遊技の興趣を増大させる。【解決手段】パチンコ球を第１または第２球排出口３５,３６から排出させる第１球振分通路３１と、第１球排出口３５からのパチンコ球を円軌道を描くよう周回させ、第３または第４球排出口４７,４８から排出させる球周回振分部４４とが形成されたステージ部材２６を設ける。また、球案内通路２９に第２および第３球排出口３６,４７からのパチンコ球Ｓを受入れて始動入賞装置へ向けて排出させ、かつ第４球排出口４８からのパチンコ球Ｓを受入れないようステージ部材２６に組付けられる樋状部材２８を設ける。そして、両部材２６,２８の組付け時に、下方へ向けて突出するようステージ部材２６に形成した位置決め片２６ａ,２６ａが、樋状部材２８の側面部２８ｂ,２８ｂの内側に当接するよう構成した。【選択図】図３
2006254997.tif 000002
【特許請求の範囲】
【請求項１】
遊技盤に配設され、該遊技盤の遊技領域を流下する遊技球を一時的に受入れて排出させる装飾部材と、前記遊技盤における装飾部材の下方に配設され、前記遊技領域を流下する遊技球が入賞可能な入賞装置とを備えた遊技機において、
前記装飾部材は、
遊技盤の遊技領域を流下する遊技球を受入れて第１球排出口または第２球排出口から排出させる第１の球通路と、前記第１球排出口からの遊技球を受入れて円軌道を描くよう周回させ、第３球排出口または第４球排出口から排出させる球周回振分部とが形成された第１部材と、
底面部および一対の側面部から樋状に形成され、該底面部および一対の側面部により画成される第２の球通路に前記第１の球通路の第２球排出口および前記球周回振分部の第３球排出口からの遊技球を受入れて前記入賞装置へ向けて排出させ、かつ前記第４球排出口からの遊技球を受入れないよう前記第１部材に組付けられる第２部材とからなり、
前記第１部材に、下方へ向けて突出する位置決め部を形成して、
前記第１部材に第２部材を組付けた際に、前記両側面部の内側に位置決め部が当接するよう構成した
ことを特徴とする遊技機。
【請求項２】
前記位置決め部は、前記側面部の前後方向の略中央位置に当接するようになっている請求項１記載の遊技機。
【請求項３】
前記位置決め部は、幅方向に離間する２箇所に形成された一対の位置決め片からなり、前記第２部材の各側面部の内側に対応する位置決め片が当接するようになっている請求項１または２記載の遊技機。
【請求項４】
前記側面部は、前記底面部からの高さ寸法が異なる複数の領域が設けられ、底面部からの高さ寸法が最も大きく設定された領域の内側に前記位置決め部が当接するよう構成される請求項１〜３の何れかに記載の遊技機。
【請求項５】
前記第１部材は、前記第４球排出口からの遊技球を受入れて第５球排出口または第６球排出口から排出させる第３の球通路を備え、
前記第５球排出口からは遊技球が入賞装置へ向けて排出され、第６球排出口からは遊技領域における前記第５球排出口から排出される遊技球とは異なる位置へ向けて遊技球が排出されるよう構成されている請求項１〜４の何れかに記載の遊技機。
【発明の詳細な説明】
【技術分野】
【０００１】
本発明は、遊技機に関し、更に詳細には、遊技領域を流下する遊技球を一時的に受入れて排出させる装飾部材の下方に入賞装置を配設した遊技機に関するものである。
【背景技術】
【０００２】
パチンコ機やアレンジボール機等の遊技機では、機内にセットされる遊技盤の盤面に画成した遊技領域の略中央位置に枠状の装飾部材(所謂センター役物)が配設されており、この装飾部材の開口部を介して複数の図柄を変動表示して図柄変動ゲームを行なう液晶式やドラム式等の図柄表示装置を後方から臨ませると共に、該遊技盤における装飾部材の下方位置に、図柄表示装置の変動開始条件としての始動入賞具(入賞装置)を配設するよう構成したものが多数提案されている。そして、この種の遊技機では、前記遊技領域に打ち出されたパチンコ球(遊技球)が前記始動入賞具に入賞することにより、前記図柄表示装置で図柄変動ゲームに伴うリーチ演出等の各種の遊技演出がなされ、該図柄表示装置に図柄が所定の組合わせで停止すると、遊技者に有利な所謂大当りが発生するようになっている。このように、大当りが発生するためには、前記始動入賞具へのパチンコ球の入賞が必要とされることから、遊技者は、前記図柄表示装置での図柄変動ゲームと同様に、始動入賞具へのパチンコ球の入賞にも大きな関心を持って遊技を楽しんでいる。
【０００３】
そこで、前記装飾部材の下縁部に、パチンコ球が左右方向に転動可能な所謂ステージを設け、遊技領域を流下するパチンコ球を装飾部材に一旦受入れさせ、パチンコ球をステージ上で転動させた後に遊技領域へ排出させることで、パチンコ球の動きを楽しませるよう構成した遊技機が提案されている(例えば特許文献１参照)。特許文献１に記載の装飾部材は、所要位置に設けられた球入口を通過したパチンコ球が到来する上ステージと、遊技領域における前記始動入賞具の左右側部側へ向けてパチンコ球を排出する下ステージと、始動入賞具に向けてパチンコ球を排出する球排出口とを設けると共に、上ステージに複数の球振分孔を形成した球振分体を設け、複数の球振分孔の少なくとも１つを前記球排出口に連通させると共に、その他の球排出口を下ステージに連通するよう構成されている。すなわち、前記球入口を通過したパチンコ球は、上ステージに形成した球振分体における特定の球振分孔を通過した場合には前記始動入賞具に入賞し易く、他の球振分孔を通過した場合には始動入賞具に入賞し難くなっている。
【特許文献１】特開２００４−７３２６４号公報
【発明の開示】
【発明が解決しようとする課題】
【０００４】
前記特許文献１に記載の装飾部材では、パチンコ球が始動入賞具へ向けて排出されるか否かは、前記球振分体において何れの球振分孔にパチンコ球が通過するかにより決定されてしまう。すなわち、前記上ステージに到来したパチンコ球が始動入賞具に入賞するか否かは、前記球振分体における一度の振分けにより決定してしまい、遊技者の期待感を持続し得ない欠点を内在すると共に、装飾部材におけるパチンコ球の動きが単調になって遊技の興趣が減殺される問題がある。
そこで、本発明は、装飾部材に到来した遊技球の多様な動きを許容して、遊技球の入賞装置への入賞に対する期待感を高め、遊技の興趣を増大させ得る遊技機を提供することを目的とする。
【課題を解決するための手段】
【０００５】
前記課題を克服し、所期の目的を達成するため、本願の請求項１に係る遊技機は、
遊技盤(10)に配設され、該遊技盤(10)の遊技領域(10b)を流下する遊技球(S)を一時的に受入れて排出させる装飾部材(13)と、前記遊技盤(10)における装飾部材(13)の下方に配設され、前記遊技領域(10b)を流下する遊技球(S)が入賞可能な入賞装置(11)とを備えた遊技機において、
前記装飾部材(13)は、
遊技盤(10)の遊技領域(10b)を流下する遊技球(S)を受入れて第１球排出口(35)または第２球排出口(36)から排出させる第１の球通路(31)と、前記第１球排出口(35)からの遊技球(S)を受入れて円軌道を描くよう周回させ、第３球排出口(47)または第４球排出口(48)から排出させる球周回振分部(44)とが形成された第１部材(26)と、
底面部(28a)および一対の側面部(28b,28b)から樋状に形成され、該底面部(28a)および一対の側面部(28b,28b)により画成される第２の球通路(29)に前記第１の球通路(31)の第２球排出口(36)および前記球周回振分部(44)の第３球排出口(47)からの遊技球(S)を受入れて前記入賞装置(11)へ向けて排出させ、かつ前記第４球排出口(48)からの遊技球(S)を受入れないよう前記第１部材(26)に組付けられる第２部材(28)とからなり、
前記第１部材(26)に、下方へ向けて突出する位置決め部(26a)を形成して、
前記第１部材(26)に第２部材(28)を組付けた際に、前記両側面部(28b,28b)の内側に位置決め部(26a)が当接するよう構成したことを要旨とする。
【０００６】
このように構成することで、第１の球通路が受入れた遊技球は、第１球排出口を介して球周回振分部へ移動するか、第２球排出口を介して第２の球通路へ移動するかの何れかに振分けられる。また、第１の球通路から球周回振分部が受入れた遊技球は、第３球排出口を介して第２の球通路へ移動するか、第４球排出口を介して遊技盤の遊技領域へ移動するかの何れかに振分けられる。すなわち、遊技球を入賞装置へ向けて排出する第２の球通路へ振分ける機会を複数設けることで、遊技者の期待感を高め、遊技の興趣を増大することができる。また、前記装飾部材を、第１の球通路および球周回振分部を形成した第１部材と、第２の球通路を形成した第２部材とから構成したことで、装飾部材が受入れた遊技球は多彩なルートを通過して遊技領域に排出されると共に、第１部材の球周回振分部では第１の球通路から受入れた遊技球が円軌道を描くよう周回し得るから、複雑な動きを遊技球にさせて遊技の興趣を向上し得る利点がある。そして、第１部材と第２部材とを組付けるに際し、第１部材の位置決め部が第２部材の両側面部の内側に当接して位置決めされるから、第２の球通路を第２球排出口および第３球排出口の下方に確実に臨ませた状態で第１および第２部材を容易に組付け得る。また、第２部材の側面部の内側に第１部材の位置決め部が当接することで、該側面部が内側に変形して第２の球通路における遊技球の通過を阻害するのを防止し得る利点がある。
【０００７】
本願の請求項２に係る遊技機は、前記位置決め部(26a)は、前記側面部(28b,28b)の前後方向の略中央位置に当接するようになっていることを要旨とする。
【０００８】
このように、前記位置決め部を前記側面部の前後方向の略中央位置に当接させるよう構成することで、該側面部が内側に変形するのを効果的に抑制し得る利点がある。
【０００９】
本願の請求項３に係る遊技機は、前記位置決め部(26a)は、幅方向に離間する２箇所に形成された一対の位置決め片(26a,26a)からなり、前記第２部材(28)の各側面部(28b,28b)の内側に対応する位置決め片(26a,26a)が当接するようになっていることを要旨とする。
【００１０】
このように、前記位置決め部を幅方向に離間する２箇所に形成された一対の位置決め片から構成することで、各位置決め片を対応の各側面部の内側に当接させることができ、側面部の内側への変形を確実に防止し得る。
【００１１】
本願の請求項４に係る遊技機は、前記側面部(28b,28b)は、前記底面部(28a)からの高さ寸法が異なる複数の領域(28c,28d)が設けられ、底面部(28a)からの高さ寸法が最も大きく設定された領域(28d)の内側に前記位置決め部(26a)が当接するよう構成されることを要旨とする。
【００１２】
このように、底面部からの高さ寸法が最も大きく設定された領域に位置決め部が当接することで、前記側面部において変形が最も生じ易い部位の変形を効果的に抑制し得る。
【００１３】
本願の請求項５に係る遊技機は、前記第１部材(26)は、前記第４球排出口(48)からの遊技球(S)を受入れて第５球排出口(61)または第６球排出口(62)から排出させる第３の球通路(58)を備え、
前記第５球排出口(61)からは遊技球(S)が入賞装置(11)へ向けて排出され、第６球排出口(62)からは遊技領域(10b)における前記第５球排出口(61)から排出される遊技球(S)とは異なる位置へ向けて遊技球(S)が排出されるよう構成されていることを要旨とする。
【００１４】
このように、第１部材に球周回振分部の第４球排出口から排出された遊技球を受入れる第３の球通路を設け、少なくとも第５球排出口から排出された遊技球を入賞装置へ向けて排出させるようにすることで、第１の球通路や球周回振分部から第２の球通路へ排出されることなく第３の球通路に到来した遊技球にも入賞装置へ向けて排出される機会が付与される。すなわち、遊技球を入賞装置へ向けて排出させる機会を多くすることで、遊技者の期待感を高め、遊技の興趣を増大することができる。また、前記装飾部材が受入れた遊技球を、より多彩なルートで遊技領域に排出させることができ、遊技の興趣の向上に寄与し得る。
【発明の効果】
【００１５】
本発明に係る遊技機によれば、装飾部材に到来した遊技球の多様な動きを許容して、遊技球の入賞装置への入賞に対する期待感を高め、遊技の興趣を増大させ得る。
【発明を実施するための最良の形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」・「後」、および「左」・「右」とは、図１に示すようにパチンコ機の遊技盤を正面側(遊技者側)から見た状態で指称するものとする。
【実施例】
【００１７】
図１に示すように、実施例に係るパチンコ機の遊技盤１０は、略円形状に湾曲形成したレール１０ａにより囲まれた遊技領域１０ｂの前側において、縦央やや下部にパチンコ球Ｓ(図６〜図８参照)をスイッチで検出し得る始動入賞具(入賞装置)１１と、この始動入賞具１１の直上方に配設されて遊技領域１０ｂの略中央に位置し、図柄表示装置１２が後方から臨む装飾部材１３と、始動入賞具１１の直下方に設置された特別入賞装置１４等を備えている。ここで、前記始動入賞具１１内に配設した図示しないスイッチがパチンコ球Ｓを検出することで、前記図柄表示装置１２で図柄変動ゲームが開始される。また、前記特別入賞装置１４は、図１に示されるように、扉状の開閉板１６が、後側の電磁ソレノイド(図示せず)に係る設定駆動条件に基づいて、通常の閉鎖状態から開放状態に変化し得るよう構成されて、前記図柄変動ゲームの結果、特別遊技(所謂大当り)が発生すると開閉板１６が開放して多数の賞球を得る機会が付与されるようになっている。なお、遊技盤１０には、パチンコ球Ｓが入賞可能な一般入賞口１８が複数箇所に設けられている。また、前記遊技盤１０における遊技領域１０ｂの最下方位置には、前記始動入賞具１１や特別入賞装置１４、一般入賞口１８に入賞しなかったパチンコ球Ｓを排出するアウト口１７を設けてある。更に、前記遊技盤１０における遊技領域１０ｂ内には、多数の遊技釘(図示せず)が植設されており、該遊技釘との接触によりパチンコ球Ｓが方向を変えつつ流下するようになっている。
【００１８】
前記装飾部材１３は、前記遊技領域１０ｂの左右幅方向の大部分を占め、その略中央位置に開設した可視表示部２０ａを介して前記図柄表示装置１２が後方から臨む枠状本体２０と、該枠状本体２０の外周囲から外方へ延出する取付板２１とを備え、該枠状本体２０や取付板２１に、各種意匠を施した装飾体が複数配設されている(図２参照)。また、前記枠状本体２０の内周下面には、パチンコ球Ｓが転動可能なステージ部材(第１部材)２６が配設されると共に、該ステージ部材２６の下方位置にパチンコ球Ｓを前記始動入賞具１１へ向けて落下させる球案内通路(第３の球通路)２９を画成した樋状部材(第２部材)２８を配設してある(図３参照)。そして、前記取付板２１には、前記樋状部材２８と対応する位置に開口部２１ａが開設されており、球案内通路２９を転動するパチンコ球Ｓは、該開口部２１ａを介して遊技領域１０ｂへ落下し得るよう構成されている。なお、前記球案内通路２９は、前記始動入賞具１１の真上に位置し(図１参照)、該球案内通路２９を介して遊技領域１０ｂ上に落下するパチンコ球Ｓが始動入賞具１１に高確率で入賞し得るよう構成される。
【００１９】
図３に示すように、前記樋状部材２８は、前記球案内通路２９の底面をなす底面部２８ａと、該球案内通路２９の側面をなす左右一対で設けられた側面部２８ｂ,２８ｂとから樋状に形成されており、前記ステージ部材２６の裏面(下面)に組付けられる。なお、前記一対の側面部２８ｂ,２８ｂの離間寸法は、パチンコ球Ｓの直径寸法より僅かに大きく設定されて、前記球案内通路２９をパチンコ球Ｓがスムーズに転動し得るようになっている。一方、前記ステージ部材２６の裏面には、後述する球周回振分部４４と対応する位置に、下方へ向けて突出する一対の位置決め片(位置決め部)２６ａ,２６ａが幅方向(ステージ部材２６の左右方向)に離間して形成され、ステージ部材２６に樋状部材２８を組付けた際に、樋状部材２８の左右の側面部２８ｂ,２８ｂの内側に各位置決め片２６ａ,２６ａが当接するよう構成されている(図６参照)。このとき、前記位置決め片２６ａ,２６ａは、前記側面部２８ｂ,２８ｂの前後方向の略中央位置に当接している。なお、前記各側面部２８ｂは、図３または図６に示すように、前記底面部２８ａからの高さ寸法が異なる複数の領域２８ｃ,２８ｄを有し、該側面部２８ｂにおいて底面部２８ａからの高さ寸法が最も大きく設定された領域２８ｄの内側に前記位置決め部２６ａが当接するよう構成されている。具体的には、前記樋状部材２８の前側に位置して前記底面部２８ａから後述する第２球振分通路５８の裏面(下面)近傍まで延在する高さ寸法を有する第１面(領域)２８ｃと、樋状部材２８の後側に位置して底面部２８ａから球周回振分部４４の裏面(下面)近傍まで延在する高さ寸法を有する第２面(領域)２８ｄとから前記各側面部２８ｂが構成されており、該第２面２８ｄの内側に対応の位置決め片２６ａが当接している。
【００２０】
また、前記装飾部材１３の上部位置には、遊技領域１０ｂを流下するパチンコ球Ｓが通過可能な球入口２２が形成されている(図２参照)。ここで、前記枠状本体２０における可視表示部２０ａの上方位置には、前記球入口２２に連通し、右方向に向かうにつれて下方傾斜する第１球誘導路２３が設けられると共に、該可視表示部２０ａの右側部位置に第１球誘導路２３の下流端に接続する螺旋状の第２球誘導路２４が設けられており、該第１および第２球誘導路２３,２４を介してパチンコ球Ｓがステージ部材２６上に到来するようになっている。
【００２１】
前記ステージ部材２６は、図４〜図６に示すように、奥側(図柄表示装置１２側)に位置し、パチンコ球Ｓが左右方向に転動する第１球振分通路(第１の球通路)３１と、該第１球振分通路３１の前側下方に位置し、パチンコ球Ｓが円を描くよう転動する球周回振分部４４と、該球周回振分部４４の前側下方に位置し、パチンコ球Ｓが左右方向に転動する第２球振分通路(第２の球通路)５８とから基本的に形成されている。なお、少なくとも前記球周回振分部４４は透明または半透明の部材で形成される。また、前記第１球振分通路３１の右端部に前記第２球誘導路２４の下流端が連通接続し、球入口２２を通過したパチンコ球Ｓは第１球振分通路３１に到来するようになっている。なお、前記ステージ部材２６(第１球振分通路３１)の後端縁は、前記枠状本体２０における可視表示部２０ａを開設した板部２０ｃに当接するようになっている。
【００２２】
ここで、前記第１球振分通路３１は、図２〜図４に示すように、上下方向に緩やかに起伏する波形に形成されて、第１球振分通路３１に到来したパチンコ球Ｓは、上下方向に変位しながら左右に転動するようになっている。なお、第１球振分通路３１は、左右方向の略中央位置で上方傾斜から下方傾斜に変位し、左右の端部近傍で下方傾斜から上方傾斜に変位するよう形成される。そして、前記第１球振分通路３１の２箇所の最下方位置に、前側へ向けて下方傾斜する第１凹所３２,３２が形成され、第１球振分通路３１の最上方位置に、後側へ向けて下方傾斜する第２凹所３３が形成されている。すなわち、実施例では、左右方向の中央に第２凹所３３が位置し、第２凹所３３を挟む両側に第１凹所３２,３２が位置している。
【００２３】
図４〜図６に示すように、前記第１球振分通路３１の前端縁には、上方に突出する第１規制板３４が形成され、前記第１凹所３２,３２に対応する位置を前後に開口するよう切欠形成してある。また、前記枠状本体２０における前記第２凹所３３に対応する位置には、前記上方および前方へ開口して前記球案内通路２９に連通する接続路２５が形成されている。そして、この第１規制板３４の切欠領域がパチンコ球Ｓの第１球排出口３５,３５として夫々機能すると共に、前記接続路２５の上部開口が第２球排出口３６として機能するようになっている。すなわち、前記第１球振分通路３１を転動するパチンコ球Ｓは、第１凹所３２,３２の傾斜により対応の第１球排出口３５,３５を介して前方へ排出されるか、第２凹所３３の傾斜により第２球排出口３６を介して球案内通路２９へ排出される。
【００２４】
また、図４または図５に示すように、前記ステージ部材２６における前記第１球排出口３５,３５の前方位置には、パチンコ球Ｓを前記球周回振分部４４または第２球振分通路５８へ転動させる第１連絡通路(第４の球通路)３８,３８が設けられている。ここで、前記各第１連絡通路３８は、前記第１球排出口３５に対応する位置からステージ部材２６の略中央位置へ向けて下方傾斜し、その下端部で前記球周回振分部４４に接続する第１傾斜面３９と、該第１球排出口３５に対応する位置からステージ部材２６の左右端縁側へ向けて下方傾斜し、前記第２球振分通路５８に接続する第２傾斜面４０とから上方へ突出する山形に形成される。また、前記各第１連絡通路３８の前端縁には、上方に突出する第２規制板４１が夫々形成されており、パチンコ球Ｓの前方への移動を規制している。なお、前記第１傾斜面３９の第１球振分通路３１側には突部４２が設けられており、第１傾斜面３９を転動するパチンコ球Ｓはこの突部４２と第２規制板４１との間を通過するようになっている。また、左右に位置する第２規制板４１,４１は、前記ステージ部材２６の左右方向の略中央位置で離間するよう形成されている。
【００２５】
前記球周回振分部４４は、前記ステージ部材２６の略中央における後方に変位した位置に設けられて(図５参照)、前記各第１連絡通路３８の第１傾斜面３９より下方に位置している。すなわち、前記球周回振分部４４は、図４または図６に示すように、ステージ部材２６に凹状に形成されている。また、前記球周回振分部４４の底面４５は略円形をなし、球周回振分部４４に到来したパチンコ球Ｓは、底面４５の外周縁から立設する壁部４６に沿って転動することにより円軌道を描くよう周回する(図７参照)。なお、図７において、前記パチンコ球Ｓが転動可能な円軌道Ｒを２点鎖線で示してある。前記底面４５には、後述する孔部４７が設けられており、該底面４５における前記孔部４７より前側は平面状に形成されると共に、該孔部４７より後側が孔部４７へ向けて下方傾斜するよう形成されている。
【００２６】
ここで、前記底面４５の直径は、前記第１球振分通路３１の後端縁から第２規制板４１までの離間距離に略合致する寸法に設定されている。これにより、第１連絡通路３８(第１傾斜面３９)は、前記球周回振分部４４においてパチンコ球Ｓが描く円軌道Ｒの接線方向に延在している。なお、図７(a)において、パチンコ球Ｓが第１連絡通路３８(第１傾斜面３９)から球周回振分部４４に進入可能な軌道を軌道Ｐとして示してある。すなわち、実施例では、前記第１傾斜面３９を転動するパチンコ球Ｓは、球周回振分部４４に対し、軌道Ｐから進入して、球周回振分部４４に到来したパチンコ球Ｓが円軌道Ｒをスムーズに描き得るようになっている(図７(a)参照)。
【００２７】
図５または図７に示すように、前記球周回振分部４４の壁部４６は、その中心点を通って前後方向に延在する直線と交差する位置が切欠かれると共に、該球周回振分部４４の底面４５には、その中心点から後方へ変位する位置に上下に貫通する孔部４７が穿設されている。すなわち、前記底面４５の孔部４７がパチンコ球Ｓの第３球排出口４７として機能し、壁部４６の切欠領域がパチンコ球Ｓの第４球排出口４８として機能する。このため、前記球周回振分部４４に到来したパチンコ球Ｓは、前記第３球排出口４７または第４球排出口４８から排出される。なお、前記球周回振分部４４の底面４５には、前記第４球排出口４８と対応する位置に、該第４球排出口４８へ向けて下方傾斜する第３凹所４９が形成されており、球周回振分部４４を周回するパチンコ球Ｓは、第４球排出口４８から優先的に排出されるようになっている。一方、前記第３球排出口４７は、前記球案内通路２９に連通接続するよう穿設されて、該第３球排出口４７から排出されたパチンコ球Ｓは始動入賞具１１に高確率で入賞するよう構成されている。
【００２８】
前記第３球排出口４７は、その直径がパチンコ球Ｓの直径寸法より僅かに大径となるよう設定されると共に、該第３球排出口４７の内部輪郭形状に合致する通孔を有する円筒状の案内筒部５１が、第３球排出口４７に連通するよう球周回振分部４４(ステージ部材２６)から下方に延在している(図６参照)。なお、前記案内筒部５１は、透明または半透明の材質で形成されると共に、その上下方向の長さ寸法は、パチンコ球Ｓの直径寸法程度に設定してある。
【００２９】
また、図５または図７に示すように、球周回振分部４４の壁部４６には、その中心を通って左右方向に延在する直線と交差する２箇所に、球周回振分部４４の内側に突出する突起４６ａ,４６ａが夫々形成されている。すなわち、壁部４６に沿って転動するパチンコ球Ｓが突起４６ａ,４６ａに接触した際に、パチンコ球Ｓの転動軌道を内側に変更し得るようになっている。ここで、前記突起４６ａ,４６ａの壁部４６からの突出寸法は、パチンコ球Ｓの直径の約１／１０に設定されている。なお、前記突起４６ａ,４６ａの底面４５からの突出寸法は、パチンコ球Ｓの直径の約１／２に設定してある。
【００３０】
前記ステージ部材２６における第４球排出口４８(第３凹所４９)の下流側には、パチンコ球Ｓをステージ部材２６の左右両端部側へ転動させる第２連絡通路５３が形成されている(図２〜図６および図８参照)。ここで、前記第２連絡通路５３は、前記第４球排出口４８と対応する位置から左右の端部へ向けて下方傾斜する山形に形成されると共に、その前端縁には上方へ延出する第３規制板５４が形成されて、パチンコ球Ｓの前方への移動を規制するようになっている。また、第３規制板５４の左端部から左方向に所定距離だけ離間する位置、および第３規制板５４の右端部から右方向に所定距離だけ離間する位置には、上方へ延出する第４規制板５５,５５が夫々形成されており、第２連絡通路５３を転動するパチンコ球Ｓは、この第３規制板５４と第４規制板５５,５５との間から第２球振分通路５８へ移動するよう構成されている。なお、図８に示すように、前記第１連絡通路３８の第２傾斜面４０を転動したパチンコ球Ｓは、前記第４規制板５５の後側に到来して第２連絡通路５３の下流端に合流するようになっており、第３規制板５４と第４規制板５５,５５との間から第２球振分通路５８へ移動する。
【００３１】
図２〜図４に示すように、前記第２球振分通路５８は、上下方向に緩やかに起伏する波形に形成されて、第２球振分通路５８に到来したパチンコ球Ｓは、上下方向に変位しながら左右に転がり移動するようになっている。なお、第２球振分通路５８は、左右方向の略中央位置で上方傾斜から下方傾斜に変位し、左右の端部近傍で下方傾斜から上方傾斜に変位するよう設定されている。そして、前記第２球振分通路５８の最上方位置に、前側へ向けて下方傾斜する第４凹所５９が形成されると共に、第２球振分通路５８の最下方位置に、前側へ向けて下方傾斜する第５凹所６０,６０が形成される。なお、前記第２球振分通路５８において前記第４および第５凹所５９,６０,６０が形成されていない位置においては、前記取付板２１が第２球振分通路５８より上方に突出するよう構成されており(図２または図４参照)、該第２球振分通路５８上を転動するパチンコ球Ｓは、この第４または第５凹所５９,６０,６０から遊技領域１０ｂへ排出される。すなわち、前記取付板２１の第４凹所５９に対応する切欠領域がパチンコ球Ｓを遊技領域１０ｂへ排出する第５球排出口６１として機能し、第５凹所６０,６０に対応する切欠領域がパチンコ球Ｓを遊技領域１０ｂへ排出する第６球排出口６２,６２として機能する。なお、前記第５球排出口６１および第６球排出口６２の幅寸法は、パチンコ球Ｓの直径の約１．５〜２倍に設定してある。
【００３２】
ここで、図１に示すように、第５球排出口６１は、前記始動入賞具１１の直上に位置して、この第５球排出口６１から遊技領域１０ｂへ排出したパチンコ球Ｓは始動入賞具１１に容易に入賞し得るよう構成されるのに対し、前記第６球排出口６２,６２は、始動入賞具１１の脇に位置しているので、この第６球排出口６２から遊技領域１０ｂへ排出されたパチンコ球Ｓが始動入賞具１１へ入賞する確率は低くなっている。なお、前記第５球排出口６１は、球案内通路２９に較べて始動入賞具１１から離間する位置に設けられると共に、球案内通路２９の幅寸法がパチンコ球Ｓの略直径寸法に設定されるのに対して、第５球排出口６１の幅寸法がパチンコ球Ｓの直径の約１．５〜２倍に設定されているから、球案内通路２９から排出されたパチンコ球Ｓに較べて、第５球排出口６１から排出されたパチンコ球Ｓは始動入賞具１１に入賞し難くなっている。
【００３３】
〔実施例の作用〕
次に、前述のように構成した実施例に係るパチンコ機の作用につき説明する。前記遊技盤１０の遊技領域１０ｂへ打ち出されたパチンコ球Ｓは、遊技盤１０に植設した前記遊技釘との接触により方向を変えつつ流下して、始動入賞具１１、特別入賞装置１４またはその他の一般入賞口１８に入るセーフ球と、アウト口１７に回収されるアウト球とに区分される。そして、前記始動入賞具１１にパチンコ球Ｓが入賞した場合には、前記図柄表示装置１２において所要の図柄変動ゲームが展開されて、遊技者に有利な「大当り」が成立する期待感を持って遊技がなされる。
【００３４】
ここで、パチンコ球Ｓが遊技領域１０ｂを流下するに際して前記装飾部材１３の上部に設けた球入口２２を通過すると、このパチンコ球Ｓは可視表示部２０ａの上端縁および右側縁に沿って設けた第１および第２球誘導路２３,２４を介して前記ステージ部材２６の第１球振分通路３１に誘導される。前記第１球振分通路３１に受入れられたパチンコ球Ｓは、該第１球振分通路３１に沿って上下方向に変位しながら左右方向に転動する。このパチンコ球Ｓは、第１球振分通路３１での転動の過程において、第１球振分通路３１の経路途中に設けた第２球排出口３６から排出されて接続路２５を介して球案内通路２９へ移動して始動入賞具１１へ向けて案内されるか、第１球排出口３５,３５から第１連絡通路３８,３８へ排出される。
【００３５】
また、前記第１球排出口３５,３５から排出されたパチンコ球Ｓは、第１連絡通路３８,３８を介して球周回振分部４４に転動すると、該球周回振分部４４の壁部４６に沿って円軌道Ｒを描くよう転動する。このとき、パチンコ球Ｓは球周回振分部４４での転動の過程において、底面４５に穿設した第３球排出口４７から排出されて球案内通路２９へ移動して始動入賞具１１へ向けて案内されるか、壁部４６に切欠形成した第４球排出口４８から第２連絡通路５３へ排出される。このように、始動入賞具１１に高確率で入賞させ得る球案内通路２９へパチンコ球Ｓを振分ける機会を複数回設けることで、最初の振分機会(すなわち第１球振分通路３１での振分機会)では球案内通路２９へ排出されない場合でも、次の振分機会(すなわち球周回振分部４４での振分機会)に対する期待感が得られる。すなわち、ステージ部材２６上に到来したパチンコ球Ｓの始動入賞具１１への入賞に対する遊技者の期待感を高め、遊技の興趣を増大することができる。
【００３６】
更に、前記第４球排出口４８から排出されたパチンコ球Ｓは、第２連絡通路５３を介して第２球振分通路５８へ移動し、該第２球振分通路５８に沿って上下方向に変位しながら左右方向に転動する。このパチンコ球Ｓは、第２球振分通路５８での転動の過程において、第２球振分通路５８の経路途中に設けた第５球排出口６１から遊技領域１０ｂにおける始動入賞具１１へ向けて排出されるか、第６球排出口６２,６２から始動入賞具１１とは異なる位置へ排出される。すなわち、前記第２球振分通路５８に、パチンコ球Ｓを始動入賞具１１へ向けて排出させる第５球排出口６１を設け、パチンコ球Ｓを始動入賞具１１に高確率で入賞させ得る機会を付与することで、前記第１球振分通路３１または球周回振分部４４において前記球案内通路２９へパチンコ球Ｓが振分けられない場合でも遊技者の期待感が持続し、遊技の興趣の増大に寄与する。このように、装飾部材１３に、第１球振分通路３１、第２球振分通路５８および球周回振分部４４を設けることで、図８に示すように、該装飾部材１３に受入れられたパチンコ球Ｓは多彩なルートを通過し得るから、遊技球の動きに対する遊技者の興味をより高め、この点でも遊技の興趣の増大を図り得る利点がある。
【００３７】
また、前記第１球振分通路３１における第１球排出口３５,３５の下流側に第１連絡通路３８,３８を設け、パチンコ球Ｓを前記球周回振分部４４または第２球振分通路５８の何れかへ向けて転動させることで、装飾部材１３に到来したパチンコ球Ｓをより多彩なルートで通過させることができるから、パチンコ球Ｓの動きに対する面白みを高め得る(図８参照)。ここで、第１連絡通路３８の第１傾斜面３９をパチンコ球Ｓが転動した場合には、パチンコ球Ｓは前記球周回振分部４４へ移動するから、前述のように、始動入賞具１１へ向けてパチンコ球Ｓが排出される振分機会が残り２回あるのに対して、第１連絡通路３８の第２傾斜面４０をパチンコ球Ｓが転動した場合には、パチンコ球Ｓは前記第２球振分通路５８へ移動するから振分機会は残り１回となる。このように、実施例のパチンコ機では、パチンコ球Ｓが第１連絡通路３８から転動する方向によって遊技者の「有利さ」を変化させることができるから、このパチンコ球Ｓの動きに対する遊技者の期待感を高め、より一層遊技の興趣の増大を図り得る利点がある。
【００３８】
また、球周回振分部４４を、その底面４５が略円形をなす凹状に形成して、第１の球通路から受入れたパチンコ球Ｓが壁部４６に沿って円軌道Ｒを描くよう周回し得るよう構成したことで、より複雑な動きをパチンコ球Ｓにさせて遊技の興趣を向上し得る利点がある。なお、図７に示すように、前記第１連絡通路３８,３８の第１傾斜面３９を転動するパチンコ球Ｓは、軌道Ｐから進入するようにしたから、該球周回振分部４４に到来したパチンコ球Ｓに対して、確実に円軌道Ｒを描くよう転動させることが可能となる。
【００３９】
そして、前記球周回振分部４４の底面４５に第３球排出口４７を穿設すると共に、球周回振分部４４の壁部４６に第４球排出口４８を切欠形成したことで、壁部４６に沿って円軌道Ｒを描くよう周回したパチンコ球Ｓは、第３球排出口４７から落下するより第４球排出口４８から第２連絡通路５３へ移動し易くなる。このように、前記第３球排出口４７と第４球排出口４８との間で、パチンコ球Ｓの通過し易さに差を設けることで、球周回振分部４４でのパチンコ球Ｓの動きに遊技者の注意を惹き付けることができる。なお、球周回振分部４４に到来したパチンコ球Ｓを第２球振分通路５８へ移動させることで、パチンコ球Ｓの動きをより長時間に亘って楽しませ得る利点もある。
【００４０】
また、前記球周回振分部４４の壁部４６に、内側に突出する突起４６ａ,４６ａを形成したことで、該壁部４６に沿って周回するパチンコ球Ｓの軌道を内側方向へ変化させることができるから、パチンコ球Ｓの動きをより複雑にし得る。また、パチンコ球Ｓの軌道を球周回振分部４４の内側方向へ変化させることで、図７(b)に実線で描く矢線Ｒ'で示すように、球周回振分部４４の底面４５に形成した第３球排出口４７へ向けてパチンコ球Ｓが転動する可能性が高められて遊技者の期待感を向上し、遊技の興趣の増大を図り得る。このとき、球周回振分部４４へ到来したパチンコ球Ｓの「勢い」や「回転」等の要素により、前記突起４６ａ,４６ａに接触したパチンコ球Ｓの動きが異なるから、より多彩な動きをパチンコ球Ｓにさせ得る。
【００４１】
更に、前記第３球排出口４７の内部輪郭形状に合致する通孔を有する円筒状の案内筒部５１を形成したことで、該案内筒部５１を通過するパチンコ球Ｓが第３球排出口４７を通過した際にパチンコ球Ｓに小刻みな振動を付与し得るから、パチンコ球Ｓの動きに対する面白みを向上し得る。このとき、前記ステージ部材２６の球周回振分部４４および案内筒部５１を、透明または半透明の材質で形成したことで、パチンコ球Ｓが案内筒部５１を通過する様子を遊技者に視認させることができる。
【００４２】
また、実施例では、前記ステージ部材２６の裏面に一対の位置決め片２６ａ,２６ａを突設して、ステージ部材２６に樋状部材２８を組付けるに際し、該一対の位置決め片２６ａ,２６ａが樋状部材２８の左右側面部２８ｂ,２８ｂの内側に当接して位置決めするよう構成してある。すなわち、前記樋状部材２８を所定位置に位置決めすることで、球案内通路２９を第２球排出口３６および第３球排出口４７の下方に確実に臨ませた状態でステージ部材２６と樋状部材２８とを容易に組付けることができる。また、パチンコ機が長時間に亘って遊技に供されると、各種電気部品の発熱等により樋状部材２８に撓み等の変形を招来し、球案内通路２９をパチンコ球Ｓが通過し難くなることも考えられる。これに対して、実施例では前記樋状部材２８の側面部２８ｂ,２８ｂ(第２面２８ｄ,２８ｄ)の内側に前記位置決め片２６ａ,２６ａが夫々当接するよう構成したことで、該側面部２８ｂ,２８ｂ(第２面２８ｄ,２８ｄ)が内側に撓むのは防止される。従って、樋状部材２８の撓み等の変形により球案内通路２９の開口寸法が狭くなり、該球案内通路２９をパチンコ球Ｓが通過し難くなる不都合を防止し得る。
【００４３】
また、前記位置決め片２６ａ,２６ａは、前記樋状部材２８(左右の側面部２８ｂ,２８ｂ)の前後方向の略中央位置に当接するよう構成したことで、該側面部２８ｂ,２８ｂが内側に変形するのを効果的に防止することができ、樋状部材２８の全体的な歪みを抑制し得る利点がある。また、前記側面部２８ｂの第２面２８ｄは、前記底面部２８ａからの高さ寸法が最も大きく設定されて、最も変形が生じ易い部位である。そこで、この第２面２８ｄに前記位置決め片２６ａを当接させることで、その変形を効果的に抑制することができ、該第２面２８ｄが内側へ変形することで第３球排出口４７を介してパチンコ球Ｓが球案内通路２９へ移動し難くなる不都合を防止し得る。なお、前記側面部２８ｂにおける球周回振分部４４に対応する第２面２８ｄの高さ寸法を大きく設定することで、前記第３球排出口４７(案内筒部５１)を通過して底面部２８ａに到来(落下)したパチンコ球Ｓが、跳ね返り等により側面部２８ｂ(第２面２８ｄ)を越えて樋状部材２８から逸れるのを確実に防止し得る利点もある。
【００４４】
〔変更例〕
なお、本発明に係る遊技機としては、実施例のものに限られるものではなく、種々の変更が可能である。
実施例では、第１の球通路(第１球振分通路)や第３の球通路(第２球振分通路)を上下方向に緩やかに起伏する波形に形成し、その最下方位置に第１球排出口および第６球排出口を設け、その最上方位置に第２球排出口および第５球排出口を設けるようにしたが、これに限定されるものではない。例えば、第１の球通路や第３の球通路を下方へ突出する弓状に形成するようにしてもよく、その経路の任意位置に第１,第２,第５,第６球排出口を任意数だけ設けることができる。なお、第１の球通路と第３の球通路の形状を夫々異ならせるようにしてもよい。
【００４５】
実施例では、球周回振分部の底面の前側を平面状に形成すると共に、該底面の後側に第３球排出口へ向けた傾斜を設けるようにしたが、該球周回振分部で遊技球が円軌道を描き得るよう形成すればよい。例えば、球周回振分部の底面を球面状や擂鉢状に形成したり、その全面を平面状に形成しても、円軌道を描くよう遊技球を転動させることができる。そして、前記球周回振分部における第３球排出口や第４球排出口の形成位置は、実施例のものに限られず、第３および第４球排出口の夫々を底面に穿設するようにしてもよく、また第３および第４球排出口の夫々を壁部に切欠形成するようにしてもよい。この場合には、球周回振分部を転動する遊技球が、第２の球通路(球案内通路)に連通する第３球排出口から排出される割合に較べて、第４球排出口から排出される割合の方を高く設定することで、実施例と同様に、球周回振分部での遊技球の動きに対する遊技者の期待感を高め得ると共に、遊技球の動きをより長時間に亘って楽しませることができる。
【００４６】
実施例では、球周回振分部の中心を通って左右方向に延在する直線と交差する２箇所に、球周回振分部の内側に突出する突起を形成するようにしたが、これに限定されるものではなく、球周回振分部の壁部の任意位置に任意数形成することができる。また、突起の突出寸法に関しても任意に設定することができ、遊技球の直径寸法に対して５／１００〜２０／１００の範囲に設定することが好ましく、更には８／１００〜１２／１００の範囲に設定することがより好適である。突起の突出寸法を、遊技球の直径寸法に対して５／１００より小さく設定すると、球周回振分部で円軌道を描くよう周回する遊技球が突起に接触した場合に、その軌道を変更する作用が乏しく、また２０／１００より大きく設定すると、球周回振分部での遊技球の転動を阻害する可能性が高くなる。
【００４７】
実施例では、第３球排出口に連通する案内筒部を円筒状に形成したが、球面状や擂鉢状に形成するようにしても、実施例と同様の作用効果を得ることができる。また、案内筒部の上下の長さ寸法については、実施例のものに限定されるものではなく、案内筒部の下端と第２部材の底面との間の離間寸法が遊技球の直径より大きく、球案内通路を遊技球が通過可能な寸法であれば任意に設定することができ、好適には遊技球の直径寸法に対して１／２以上の寸法に設定することが好ましい。遊技球の直径寸法に対して１／２以上とすることで、遊技球の動きを遊技者に確実に視認させて遊技球の面白みをより向上し得る利点がある。
【００４８】
実施例では、第２の球通路を形成した第２部材(樋状部材)を位置決めする位置決め部として、第１部材(ステージ部材)に一対の位置決め片を形成して、各位置決め片が第２部材の対応する側面部の内側に当接するよう構成したが、これに限られるものではなく種々の変更が可能である。例えば、位置決め部として左右方向に延在する１つの突条を形成し、該突条が第２部材の両側面部の内側に当接するようにしてもよい。また、前記位置決め部を、第１の球通路や球周回振分部等を形成した第１部材の裏面(下面)の略中央位置に形成するようにしたが、これに限定されるものではなく、第１部材に形成された第２および第３球排出口の夫々が第２の球通路に連通するよう第２部材を位置決めする位置であれば、位置決め部を第１部材の任意位置に形成することができる。従って、前記第１部材の複数箇所に位置決め部を形成して、位置決め部が第２部材の側面部に複数箇所で当接するようにしてもよい。このように、位置決め部が第２部材の側面部に複数箇所で当接することで、側面部が内側に変形して第２の球通路における遊技球の通過を阻害することをより確実に防止できる。
【００４９】
第２部材(樋状部材)の形状としては、実施例に示す形状に限定されるものではなく、第２球排出口および第３球排出口から排出される遊技球を受入れ、入賞装置(始動入賞装置)へ向けて排出し得る形状であれば任意の形状に設定することができる。なお、実施例では、第２部材の側面部に、底面部からの高さ寸法が異なる領域(第１面および第２面)を設けるようにしたが、側面部全体を一様の高さ寸法に設定してもよく、また第１部材の裏面に倣う形状にしてもよい。
【００５０】
装飾部材としては、実施例のような図柄表示装置が臨む部材に限られるものではなく、遊技領域を流下中の遊技球を一時的に受入れて排出するよう構成された部材であれば、任意の形状・構成の部材を採用することができ、また遊技領域の任意位置に配設することも可能である。例えば、実施例では前記第３の球通路の第６球排出口からは、遊技球を入賞装置の脇(入賞装置とは異なる位置)へ向けて排出するよう構成したが、該第６球排出口から排出される遊技球を別の入賞装置へ向けて排出するようにしてもよい。
【図面の簡単な説明】
【００５１】
【図１】実施例に係るパチンコ機の遊技盤を示す正面図である。
【図２】実施例に係るパチンコ機の装飾部材を示す斜視図である。
【図３】実施例に係るステージ部材と樋状部材を示す分解斜視図である。
【図４】実施例に係る装飾部材の要部拡大斜視図である。
【図５】実施例に係る装飾部材の横断平面図である。
【図６】図５におけるＡ−Ａ線断面図である。
【図７】実施例に係るステージ部材における球周回振分部の拡大図である。
【図８】実施例に係るステージ部材を転動するパチンコ球の転動ルートを示す斜視図である。
【符号の説明】
【００５２】
１０  遊技盤，１０ｂ  遊技領域，１１  始動入賞具(入賞装置)，１３  装飾部材
２６  ステージ部材(第１部材)，２６ａ  位置決め片(位置決め部)
２８  樋状部材(第２部材)，２８ａ  底面部，２８ｂ  側面部
２８ｃ  第１面(高さ寸法の異なる領域)，２８ｄ  第２面(高さ寸法の異なる領域)
２９  球案内通路(第２の球通路)，３１  第１球振分通路(第１の球通路)
３５  第１球排出口，３６  第２球排出口，４４  球周回振分部，４７  第３球排出口  ４８  第４球排出口，５８  第２球振分通路(第３の球通路)，６１  第５球排出口
６２  第６球排出口，Ｓ  パチンコ球(遊技球)
【図１】
2006254997.tif 000003
【図２】
2006254997.tif 000004
【図３】
2006254997.tif 000005
【図４】
2006254997.tif 000006
【図５】
2006254997.tif 000007
【図６】
2006254997.tif 000008
【図７】
2006254997.tif 000009
【図８】
2006254997.tif 000010